(57)【要約】【課題】マグネトロンの永久磁石等を容易にリサイクルできる構成とすること。【解決手段】第１の継鉄２３と第２の継鉄２４の間に空間部３１ａ、３１ｂを設けることにより舌状部３３ａ、３３ｂを容易に切断することができるようになるので、マグネトロンの永久磁石などを容易にリサイクルできるようになる。【選択図】図１
2006302514.tif 000002
【特許請求の範囲】
【請求項１】
外部磁気回路を形成する断面ロ状の枠形継鉄が一対の磁極部および同磁極部上につみかさねられた永久磁石を２方から挟み込む断面コ字状の第１および第２の継鉄からなり、前記第１の継鉄は切り起しにより形成された一対のバンド部を各側壁の端縁に有し、前記第２の継鉄は前記バンド部に挿し込まれて前記側壁に沿い相互に近接または離隔する方向へ屈曲された一対の舌状部を各側壁の端縁に有し、前記舌状部を切断するための切断刃が入る空間部を第１の継鉄と第２の継鉄の間に設けてなるマグネトロン装置。
【発明の詳細な説明】
【技術分野】
【０００１】
本発明は、マグネトロンをリサイクルするためのマグネトロン外部磁気回路を形成する枠形継鉄の構成に関するものである。
【背景技術】
【０００２】
従来のこの種のマグネトロン装置は、図４〜図６に示すように、マグネトロン発信管１、磁極部２、４、永久磁石３、５、枠形継鉄６、第１の継鉄７、第２の継鉄８から構成されている（例えば、特許文献１参照）。
【０００３】
マグネトロン装置の一方の磁極部２の外端面上に設けられた第１の環状永久磁石３、マグネトロン発信管１の他方の磁極部４の外端面上に設けられた第２の環状永久磁石５およびこれらを取り囲む断面ロ字状の枠形継鉄６は、マグネトロン発信管１に対する外部磁気回路を形成しており、枠形継鉄６は、断面コ字状の第１および第２の継鉄７，８からなる。
【０００４】
なお、第１および第２の継鉄７，８は、一対の磁極部２，４およびその外端面上に積み重ねられた永久磁石３，５を２方から挟み込んでおり、マグネトロン発信管１の電磁波放出端子９は第２の継鉄８の中央孔１０を貫通して延び、マグネトロン発信管の陰極端子１１は、第２の継鉄７の中央孔１２を貫通して延びている。
【０００５】
第１の継鉄７の両側壁１３ａ，１３ｂは、内方への切り起こしにより形成された一対のバンド部１４ａ，１４ｂを、第２の継鉄８側の端縁にそれぞれ有しており、バンド部１４ａ，１４ｂの各突出長は、板厚の２倍よりもわずかに大きい。また、第２の継鉄８の両側壁１５ａ，１５ｂは、一対のバンド部１４ａ，１４ｂに挿入されるべき一対の舌状部１６ａ，１６ｂを、第１の継鉄７側の端縁にそれぞれ有している。
【０００６】
そして、一対の舌状部１６ａ，１６ｂは、一対のバンド部１４ａ，１４ｂに挿通されたのち、第１の継鉄７の側壁に沿い相互に近接または離隔する方向へ屈曲されるのであり、第６図は舌状部１６ａの屈曲状態を示している。
【特許文献１】特公平０３―８１２５４号公報
【発明の開示】
【発明が解決しようとする課題】
【０００７】
しかしながら、前記従来の構成では、永久磁石３および５を取り出すためには、舌状部１６ａ，１６ｂの屈曲を元の直線状に近くまで戻さないと第２の継鉄８が取り外せないため、戻すための冶具や装置が必要となる。
【０００８】
あるいは、舌状部を切断して第２の継鉄を取り外そうとしても、舌状部を切断するための切断刃が入る空間が舌状部近傍に無いため、切削機械のような切断機を用いる必要があるという課題を有していた。
【０００９】
また、従来のマグネトロン装置では、第１および第２の継鉄を分離する事が困難であったため、マグネトロン装置全体を破砕機にかけて細分化していた。マグネトロン装置の永久磁石も一緒に破砕機にかけると永久磁石も粉々に微細化され、その微細化された磁石分も強い磁力を持っているため、鉄などの破砕分と磁力により一体化し、分別が困難になる、あるいは、磁性を帯びた破砕分が破砕機の機械内部に付着し、他の磁化しない破砕分を巻き込んで、機械内部に詰まるというという課題もあった。
【００１０】
本発明は、前記従来の課題を解決するもので、前記舌状部を切断するための切断刃が入る空間部を第１の継鉄と第２の継鉄の間に設けて、第２の継鉄を第１の継鉄から取り外し易い構成とし、永久磁石を取り外し易くすることによって永久磁石の再使用や再生や金属材料等のリサイクルを容易にしたマグネトロン装置を提供することを目的とする。
【課題を解決するための手段】
【００１１】
前記従来の課題を解決するために、本発明のマグネトロン装置は、マグネトロン装置の外部磁気回路を形成する断面ロ状の枠形継鉄が前記マグネトロン装置の一対の磁極部および同磁極部上につみかさねられた永久磁石を２方から挟み込む断面コ字状の第１および第２の継鉄からなり、前記第１の継鉄は切り起しにより形成された一対のバンド部を各側壁の端縁に有し、前記第２の継鉄は前記バンド部に挿し込まれて前記側壁に沿い相互に近接または離隔する方向へ屈曲された一対の舌状部を各側壁の端縁に有し、前記舌状部を切断するための切断刃が入る空間部を第１の継鉄と第２の継鉄の間に設けてなる構成としたものである。
【００１２】
これによって、第２の継鉄の舌状部を切断することが容易になり、第２の継鉄を第１の継鉄から取り外し易い構成となることによって、永久磁石が取り外し易くなり、永久磁石の再使用や再生や金属材料等のリサイクルを容易にしたマグネトロン装置となる。
【発明の効果】
【００１３】
本発明のマグネトロン装置は、外部磁気回路を形成する断面ロ状の枠形継鉄が一対の磁極部および同磁極部上につみかさねられた永久磁石を２方から挟み込む断面コ字状の第１および第２の継鉄からなり、前記第１の継鉄は切り起しにより形成された一対のバンド部を各側壁の端縁に有し、前記第２の継鉄は前記バンド部に挿し込まれて前記側壁に沿い相互に近接または離隔する方向へ屈曲された一対の舌状部を各側壁の端縁に有し、前記舌状部を切断するための切断刃が入る空間を第１の継鉄と第２の継鉄の間に設ける構成とすることにより、ニッパーやペンチなどの簡単な切断工具の切断刃のの継鉄と第２の継鉄を容易に分離することができ、永久磁石を容易に取り出すことができるので、永久磁石の再使用や再生や金属材料等のリサイクルを容易にしたマグネトロン装置とすることができる。
【発明を実施するための最良の形態】
【００１４】
第１の発明は、外部磁気回路を形成する断面ロ状の枠形継鉄が一対の磁極部および同磁極部上につみかさねられた永久磁石を２方から挟み込む断面コ字状の第１および第２の継鉄からなり、前記第１の継鉄は切り起しにより形成された一対のバンド部を各側壁の端縁に有し、前記第２の継鉄は前記バンド部に挿し込まれて前記側壁に沿い相互に近接または離隔する方向へ屈曲された一対の舌状部を各側壁の端縁に有し、前記舌状部を切断するための切断刃が入る空間部を第１の継鉄と第２の継鉄の間に設ける構成とすることにより、第２の継鉄の舌状部を切断することが容易になり、第２の継鉄を第１の継鉄から取り外し易い構成となることによって、永久磁石が取り外し易くなり、永久磁石の再使用や再生や金属材料等のリサイクルを容易にしたマグネトロン装置とすることができる。
【００１５】
以下、本発明の実施の形態について、図面を参照しながら説明する。
【００１６】
（実施の形態１）
図１から図３は、本発明の第１の実施の形態におけるマグネトロン装置の図を示すものである。
【００１７】
図１において、１７はマグネトロン発信管、１８、１９は磁極部、２０、２１は、永久磁石、２２は枠形継鉄、２３は第１の継鉄、２４は第２の継鉄である。
【００１８】
マグネトロン発信管１７の一方の磁極部１８の外端面上に設けられた第１の環状永久磁石１９、マグネトロン発信管１７の他方の磁極部２０の外端面上に設けられた第２の環状永久磁石２１およびこれらを取り囲む断面ロ字状の枠形継鉄２２は、マグネトロン発信管１７に対する外部磁気回路を形成しており、枠形継鉄２２は、断面コ字状の第１および第２の継鉄２３，２４からなる。なお、第１および第２の継鉄２３，２４は、一対の磁極部１８，２０およびその外端面上に積み重ねられた永久磁石１９，２１を２方から挟み込んでおり、マグネトロン発信管１７の電磁波放出端子２５は第２の継鉄２４の中央孔２６を貫通して延び、マグネトロン発信管１７の陰極端子２７は、第２の継鉄２３の中央孔２８を貫通して延びている。
【００１９】
第１の継鉄２３の両側壁２９ａ，２９ｂは、内方への切り起こしにより形成された一対のバンド部３０ａ，３０ｂを、第２の継鉄２４側の端縁にそれぞれ有しており、バンド部３０ａ，３０ｂの各突出長は、板厚の２倍よりも大きい。また、第１の継鉄２３の側壁２９ａには、空間部３１ａ、３１ｂを有している。第１の継鉄２３の側壁２９ｂにも、同様の空間部を有しているが、図示していない。
【００２０】
また、第２の継鉄２４の両側壁３２ａ，３２ｂは、一対のバンド部３０ａ、３０ｂに挿入されるべき一対の舌状部３３ａ，３３ｂを、第１の継鉄２３側の端縁にそれぞれ有している。
【００２１】
一対の舌状部３３ａ，３３ｂは、一対のバンド部３０ａ，３０ｂに挿入されたのち、第１の継鉄２３の側壁に沿い相互に近接または離隔する方向へ屈曲されるのであり、第３図は舌状部３３ａの屈曲状態を示している。空間部３１ａ，３１ｂは、舌状部３３ａを切断するための刃先が挿入できる空間でる。
【００２２】
以上のように構成されたマグネトロン装置について、以下にその動作、作用を説明する。
【００２３】
まず、空間部３１ａ，３１ｂは、舌状部３３ａを切断するための刃先が挿入できる空間であり、ニッパーやペンチなどの簡単な切断工具の切断刃の先を空間部３１ａ、３１ｂに入れて、舌状部３３ａを切断することにより、また、同様に他の舌状部をすべて切断することにより、第２の継鉄２４が第１の継鉄２３から取り外すことができる。環状の永久磁石２１は、第２の継鉄２４の中央孔２６から、マグネトロン発信管１７の電磁波放出端子２５を抜き取ることにより、取り外すことができる。
【００２４】
さらに、マグネトロン１７の陰極端子２７は、外部の線と結合されているが、外部の線を切断することにより、マグネトロン発信管１７の陰極端子２７が、第１の継鉄２３の中央孔２８から取り外すことができ、環状の永久磁石１９が取り外すことができる。
【００２５】
このように、空間部３１ａ、３１ｂを設けて、ニッパーやペンチなどの簡単な切断工具の切断刃により、舌状部３３ａ、３３１ｂを切断することができるようにすることによって、容易に永久磁石を取り出すことができるようになるので、永久磁石の再使用や再生などのリサイクルを容易にすることができる。
【００２６】
従来のマグネトロンでは、第１および第２の継鉄を分離する事が困難であったため、マグネトロン全体を破砕機にかけて細分化していた。マグネトロンの永久磁石も一緒に破砕機にかけると永久磁石も粉々に微細化され、その微細化された磁石分も強い磁力を持っているため、鉄などの破砕分と磁力により一体化し、分別が困難になる、あるいは、磁性を帯びた破砕分が破砕機の機械内部に付着し、他の磁化しない破砕分をも巻き込んで、機械内部に詰まるというという課題もあったが、本発明により、ニッパーやペンチなどの簡単な切断工具の切断刃の先を空間部３１ａ、３１ｂに入れて切断する事ができ、第１の継鉄と第２の継鉄を容易に分離することができ、永久磁石を容易に取り出すことができるので、永久磁石の再使用や再生や金属材料等のリサイクルを容易にすることができる。
【００２７】
また、永久磁石を破砕機等の破砕機で粉砕することが無くなるので、磁性を帯びた粉砕物が固まったり、機械内部に詰まったりすることがなくなるので、破砕機のメンテナンスがより容易になり、また、破砕機の寿命を延ばすことができる。
【００２８】
なお、カシメや曲げ等で、固定している舌状部やバンド部を切断できる位置であれば、空間を設ける位置は、側壁に限るものではない。
【産業上の利用可能性】
【００２９】
以上のように、本発明にかかるマグネトロン装置は、永久磁石を容易に取り出すことができるので、永久磁石の再使用や再生や金属材料等のリサイクルを容易にしたマグネトロン装置を提供できる。
【図面の簡単な説明】
【００３０】
【図１】本発明の実施の形態１におけるマグネトロンの側断面図
【図２】本発明の実施の形態１におけるマグネトロンの要部の分解斜視図
【図３】本発明の実施の形態１におけるマグネトロンの要部の斜視図
【図４】従来のマグネトロンの側断面図
【図５】従来のマグネトロンの要部の分解斜視図
【図６】従来のマグネトロンの要部の斜視図
【符号の説明】
【００３１】
１７  マグネトロン発信管
１８，２０  磁極部
１９，２１  永久磁石
２２  枠形継鉄
２３  第１の継鉄
２４  第２の継鉄
２９ａ，２９ｂ  側壁
３０ａ，３０ｂ  バンド部
３３ａ，３３ｂ  舌状部
３１ａ，３１ｂ  空間部
【図１】
2006302514.tif 000003
【図２】
2006302514.tif 000004
【図３】
2006302514.tif 000005
【図４】
2006302514.tif 000006
【図５】
2006302514.tif 000007
【図６】
2006302514.tif 000008